(57)【要約】【課題】  ディスプレイ装置が処理可能であるが、ＡＶアンプに記憶されていない解像度であっても、ＤＶＤプレーヤが当該解像度で画像データを出力することができるＡＶアンプを提供する。【解決手段】  ＡＶアンプ２０は、ＨＤＭＩ規格に準拠し、ＨＤＭＩ受信部２１と、ＨＤＭＩ送信部２２と、ＤＶＤプレーヤ１０が読み出す解像度の種類を記憶するためのＰＲＯＭ２５と、解像度の種類が予め記憶されているＲＯＭ２３ａと、ディスプレイ装置３０に予め記憶されている解像度の種類をディスプレイ装置３０から読み出すシステム制御部２３とを有する。システム制御部２３は、ディスプレイ装置３０がＤＶＩ規格に準拠していると判断すると、ディスプレイ装置３０から読み出した解像度の種類の全てをＰＲＯＭ３４に登録する。【選択図】図２
2007079177.tif 000002
【特許請求の範囲】
【請求項１】
外部に接続される画像再生装置から画像データを受信する画像受信手段と、
外部に接続される画像表示装置に該画像データを送信する画像送信手段と、
該画像再生装置が読み出す解像度の種類を記憶するための第１の記憶手段と、
解像度の種類が予め記憶されている第２の記憶手段と、
該画像表示装置に予め記憶されている解像度の種類を、該画像表示装置から読み出す読出手段と、
該読出手段が読み出した解像度の種類の全て、または、該読出手段が読み出した解像度の種類のうち、該画像送信手段が該画像表示装置に送信可能な解像度の種類を該第１の記憶手段に登録する解像度登録手段とを備える、画像送受信装置。
【請求項２】
前記読出手段が前記画像表示装置から読み出した解像度の種類の中で、前記第２の記憶手段に記憶されていない解像度が存在するか否かを判断する判断手段をさらに備え、
該読出手段が読み出した解像度の種類の中で、該第２の記憶手段に記憶されていない解像度が存在すると判断された場合、前記解像度登録手段が、該読出手段が読み出した解像度の種類の全て、または、該読出手段が読み出した解像度の種類のうち、前記画像送信手段が該画像表示装置に送信可能な解像度の種類を前記第１の記憶手段に登録する、請求項１に記載の画像送受信装置。
【請求項３】
第１の規格に準拠しており、
外部に接続される画像再生装置から画像データを受信する画像受信手段と、
外部に接続される画像表示装置に該画像データを送信する画像送信手段と、
該画像再生装置が読み出す解像度の種類を記憶するための第１の記憶手段と、
解像度の種類が予め記憶されている第２の記憶手段と、
該画像表示装置に予め記憶されている解像度の種類を、該画像表示装置から読み出す読出手段と、
接続されている該画像表示装置が第２の規格に準拠しているか否かを判断する判断手段と、
該画像表示装置が該第２の規格に準拠していると判断された場合に、該読出手段が読み出した解像度の種類の全て、または、該読出手段が読み出した解像度の種類のうち、該画像送信手段が該画像表示装置に送信可能な解像度の種類を該第１の記憶手段に登録する解像度登録手段とを備える、画像送受信装置。
【請求項４】
前記画像表示装置が前記第１の規格に準拠していると判断された場合、前記解像度登録手段が、前記第２の記憶手段に記憶されている解像度の種類の中で、前記画像表示装置から読み出した解像度の種類と一致する解像度の種類を、前記第１の記憶手段に登録する、請求項３に記載の画像送受信装置。
【請求項５】
第１モードまたは第２モードに設定可能なモード設定手段と、
該モード設定手段によって設定されたモードを判断するモード判断手段とをさらに備え、
前記画像表示装置が前記第２の規格に準拠し、かつ、設定されているモードが該第１モードであると判断された場合、前記解像度登録手段が、前記読出手段が読み出した解像度の種類の全て、または、該読出手段が読み出した解像度の種類のうち前記画像送信手段が該画像表示装置に送信可能な解像度の種類を前記第１の記憶手段に登録し、
該画像表示装置が該第２の規格に準拠し、かつ、設定されているモードが該第２モードであると判断された場合、該解像度登録手段が、該第２の記憶手段に記憶されている解像度の種類の中で、該画像表示装置から読み出した解像度の種類と一致する解像度の種類を該第１の記憶手段に登録する、請求項３または４に記載の画像送受信装置。
【請求項６】
複数の前記画像再生装置から送信される画像データの中から１つの画像データを選択する選択手段と、
該選択手段の選択状態に対応して第１モードまたは第２モードを設定するモード設定手段と、
該選択手段の選択状態が変更されたとき、変更後の選択状態に対応するモードを判断するモード判断手段とをさらに備え、
変更後の選択状態が該第１モードであると判断された場合、前記解像度登録手段が、前記読出手段が読み出した解像度の種類の全て、または、該読出手段が読み出した解像度の種類のうち前記画像送信手段が該画像表示装置に送信可能な解像度の種類を前記第１の記憶手段に登録し、
変更後の選択状態が該第２モードであると判断された場合、該解像度登録手段が、該第２の記憶手段に記憶されている解像度の種類の中で、該画像表示装置から読み出した解像度の種類と一致する解像度の種類を該第１の記憶手段に登録する、請求項３または４に記載の画像送受信装置。
【請求項７】
前記第１の規格がＨＤＭＩ規格であり、前記第２の規格がＤＶＩ規格である、請求項３〜６のいずれかに記載の画像送受信装置。
【請求項８】
外部に接続される画像再生装置から画像データを受信する画像受信ステップと、
外部に接続される画像表示装置に該画像データを送信する画像送信ステップと、
該画像再生装置が読み出す解像度の種類を記憶するための第１の記憶手段に、解像度の種類を登録する解像度登録ステップと、
該画像表示装置に予め記憶されている解像度の種類を、該画像表示装置から読み出す読出ステップとをコンピュータに実行させ、
該解像度登録ステップにおいて、該読出手段が読み出した解像度の種類の全て、または、該読出手段が読み出した解像度の種類のうち、該画像送信手段が該画像表示装置に送信可能な解像度の種類が該第１の記憶手段に登録される、画像送受信装置の動作プログラム。
【発明の詳細な説明】
【技術分野】
【０００１】
本発明は、画像表示装置から読み取った解像度の種類と、自身に予め記憶されている解像度の種類とに基づいて、画像再生装置が出力可能な解像度の種類を記憶手段に登録する画像送受信装置に関する。
【背景技術】
【０００２】
従来、図５（ａ）に示すとおり、ＨＤＭＩ（High Definition Multimedia Interface）規格に準拠した、ＤＶＤプレーヤ、ＡＶアンプおよびディスプレイ装置が、ＨＤＭＩケーブルを介して接続されるシステムが提案されている。ＤＶＤプレーヤで再生された画像データは、ＡＶアンプを介してディスプレイ装置に出力される。
【０００３】
ディスプレイ装置は複数の解像度の画像を表示することができ、表示可能な解像度の種類（例えば、ＸＧＡ等）がＥＤＩＤ（Extended Display Identification Data）として内部に設けられた図示しないＰＲＯＭに予め記憶されている（例えば、特許文献１）。
【０００４】
ＡＶアンプも、内部に設けられたＲＯＭに、解像度の種類（これらの解像度はＨＤＭＩ規格に対応している）が予め記憶されている。ＡＶアンプは、接続されているディスプレイ装置からＥＤＩＤを読み出して、ＥＤＩＤからディスプレイ装置が表示可能な解像度の種類を読み出す。ＡＶアンプは、自身のＲＯＭに予め記憶されている複数の解像度の中で、ディスプレイ装置から読み出した解像度に一致する解像度を含むＥＤＩＤを、図示しないＰＲＯＭに登録する。
【０００５】
ＤＶＤプレーヤは、ＡＶアンプのＰＲＯＭからＥＤＩＤを読み出して、ＡＶアンプおよびディスプレイ装置が共通して記憶する解像度の種類を解析する。ＤＶＤプレーヤは、読み出した解像度の種類に基づいて、ＡＶアンプに出力する画像の解像度をユーザの操作により設定する。具体的には、解像度設定は、ＤＶＤプレーヤの解像度設定画面を表示させ、当該画面中に表示される複数の解像度の中から所望の解像度を選択することにより実行される。解像度設定画面中に表示される解像度の種類は、ＤＶＤプレーヤに予め記憶されている解像度の種類の中から、ＡＶアンプのＰＲＯＭから読み出した解像度の種類と一致する解像度の種類である。従って、解像度設定画面には、ＡＶアンプおよびディスプレイ装置が共通して記憶する解像度の種類を表示することができる。
【０００６】
同様に、図５（ｂ）に示すとおり、ＡＶアンプは、ＨＤＭＩ規格と互換性のあるＤＶＩ（Digital Visual Interface）規格に準拠したディスプレイ装置とＤＶＩケーブル介して接続することができる。この場合にも、ＡＶアンプはディスプレイ装置からＥＤＩＤを読み出して、ＥＤＩＤに含まれる解像度の種類と、ＡＶアンプのＲＯＭに予め記憶されている解像度の種類とに共通する解像度の種類を含むＥＤＩＤをＰＲＯＭに登録する。ＤＶＤプレーヤは、ＡＶアンプのＰＲＯＭからＥＤＩＤを読み出して、ＥＤＩＤに含まれる解像度の種類を解像度設定画面に表示する。
【０００７】
【特許文献１】特開平１１−１５４２５号公報
【発明の開示】
【発明が解決しようとする課題】
【０００８】
上記の通り、ＡＶアンプのＰＲＯＭには、ＡＶアンプのＲＯＭに記憶されている解像度の種類の中で、ディスプレイ装置のＰＲＯＭに記憶されている解像度の種類と一致するものだけが登録される。従って、ディスプレイ装置が処理可能な解像度であっても、ＡＶアンプのＲＯＭに記憶されていなければ、その解像度はＤＶＤプレーヤの解像度設定画面に表示されず、ＤＶＤプレーヤは当該解像度で画像データを出力することができない。これは、ＤＶＩ規格のディスプレイ装置をＨＤＭＩ規格のＡＶアンプに接続する場合に多く生じる問題である。ＤＶＩ規格のディスプレイ装置は、ＨＤＭＩ規格のものに比べて表示可能な解像度の種類が多いからである。
【０００９】
例えば、ＡＶアンプのＲＯＭに記憶されている解像度の種類がａ、ｂ、ｃ、ｄであり、ディスプレイ装置のＰＲＯＭに記憶されている解像度の種類がａ、ｂ、ｃ、ｄ、ｅ、ｆであるとする。この場合、ＡＶアンプのＰＲＯＭには共通する解像度ａ、ｂ、ｃ、ｄのみが登録され、解像度ｅ、ｆは登録されない。その結果、ＤＶＤプレーヤの解像度設定画面には、解像度ａ、ｂ、ｃ、ｄのみが表示され、解像度ｅ、ｆは表示されず、ＤＶＤプレーヤは、画像データを出力する際の解像度として解像度ｅ、ｆを設定することができない。つまり、ディスプレイ装置が解像度ｅ、ｆで画像を表示可能であるにもかかわらず、ＤＶＤプレーヤは、解像度ｅ、ｆで画像データを出力できないという問題を有する。
【００１０】
本発明の目的は、ディスプレイ装置が処理可能であるが、ＡＶアンプに記憶されていない解像度であっても、ＤＶＤプレーヤが当該解像度で画像データを出力することができるＡＶアンプを提供することである。
【課題を解決するための手段】
【００１１】
本発明の好ましい実施形態による画像送受信装置は、外部に接続される画像再生装置から画像データを受信する画像受信手段と、外部に接続される画像表示装置に該画像データを送信する画像送信手段と、該画像再生装置が読み出す解像度の種類を記憶するための第１の記憶手段と、解像度の種類が予め記憶されている第２の記憶手段と、該画像表示装置に予め記憶されている解像度の種類を、該画像表示装置から読み出す読出手段と、該読出手段が読み出した解像度の種類の全て、または、該読出手段が読み出した解像度の種類のうち、該画像送信手段が該画像表示装置に送信可能な解像度の種類を該第１の記憶手段に登録する解像度登録手段とを備える。
【００１２】
好ましい実施形態においては、画像送受信装置は、上記読出手段が上記画像表示装置から読み出した解像度の種類の中で、上記第２の記憶手段に記憶されていない解像度が存在するか否かを判断する判断手段をさらに備える。該読出手段が読み出した解像度の種類の中で、該第２の記憶手段に記憶されていない解像度が存在すると判断された場合、上記解像度登録手段は、該読出手段が読み出した解像度の種類の全て、または、該読出手段が読み出した解像度の種類のうち、上記画像送信手段が該画像表示装置に送信可能な解像度の種類を上記第１の記憶手段に登録する。
【００１３】
本発明の別の好ましい実施形態による画像送受信装置は、第１の規格に準拠しており、外部に接続される画像再生装置から画像データを受信する画像受信手段と、外部に接続される画像表示装置に該画像データを送信する画像送信手段と、該画像再生装置が読み出す解像度の種類を記憶するための第１の記憶手段と、解像度の種類が予め記憶されている第２の記憶手段と、該画像表示装置に予め記憶されている解像度の種類を、該画像表示装置から読み出す読出手段と、接続されている該画像表示装置が第２の規格に準拠しているか否かを判断する判断手段と、該画像表示装置が該第２の規格に準拠していると判断された場合に、該読出手段が読み出した解像度の種類の全て、または、該読出手段が読み出した解像度の種類のうち、該画像送信手段が該画像表示装置に送信可能な解像度の種類を該第１の記憶手段に登録する解像度登録手段とを備える。
【００１４】
好ましい実施形態においては、上記画像表示装置が上記第１の規格に準拠していると判断された場合、上記解像度登録手段は、上記第２の記憶手段に記憶されている解像度の種類の中で、上記画像表示装置から読み出した解像度の種類と一致する解像度の種類を、上記第１の記憶手段に登録する。
【００１５】
好ましい実施形態においては、画像送受信装置は、第１モードまたは第２モードに設定可能なモード設定手段と、該モード設定手段によって設定されたモードを判断するモード判断手段とをさらに備える。上記画像表示装置が上記第２の規格に準拠し、かつ、設定されているモードが該第１モードであると判断された場合、上記解像度登録手段は、上記読出手段が読み出した解像度の種類の全て、または、該読出手段が読み出した解像度の種類のうち上記画像送信手段が該画像表示装置に送信可能な解像度の種類を前記第１の記憶手段に登録する。該画像表示装置が該第２の規格に準拠し、かつ、設定されているモードが該第２モードであると判断された場合、該解像度登録手段は、該第２の記憶手段に記憶されている解像度の種類の中で、該画像表示装置から読み出した解像度の種類と一致する解像度の種類を該第１の記憶手段に登録する。
【００１６】
好ましい実施形態においては、画像送受信装置は、複数の上記画像再生装置から送信される画像データの中から１つの画像データを選択する選択手段と、該選択手段の選択状態に対応して第１モードまたは第２モードを設定するモード設定手段と、該選択手段の選択状態が変更されたとき、変更後の選択状態に対応するモードを判断するモード判断手段とをさらに備える。変更後の選択状態が該第１モードであると判断された場合、上記解像度登録手段は、上記読出手段が読み出した解像度の種類の全て、または、該読出手段が読み出した解像度の種類のうち上記画像送信手段が該画像表示装置に送信可能な解像度の種類を前記第１の記憶手段に登録する。変更後の選択状態が該第２モードであると判断された場合、該解像度登録手段は、該第２の記憶手段に記憶されている解像度の種類の中で、該画像表示装置から読み出した解像度の種類と一致する解像度の種類を該第１の記憶手段に登録する。
【００１７】
好ましい実施形態においては、上記第１の規格はＨＤＭＩ規格であり、上記第２の規格がＤＶＩ規格である。
【００１８】
本発明の好ましい実施形態による画像送受信装置の動作プログラムは、外部に接続される画像再生装置から画像データを受信する画像受信ステップと、外部に接続される画像表示装置に該画像データを送信する画像送信ステップと、該画像再生装置が読み出す解像度の種類を記憶するための第１の記憶手段に、解像度の種類を登録する解像度登録ステップと、該画像表示装置に予め記憶されている解像度の種類を、該画像表示装置から読み出す読出ステップとをコンピュータに実行させる。該解像度登録ステップにおいて、該読出手段が読み出した解像度の種類の全て、または、該読出手段が読み出した解像度の種類のうち、該画像送信手段が該画像表示装置に送信可能な解像度の種類が該第１の記憶手段に登録される。
【発明の効果】
【００１９】
画像送受信装置は、第２の記憶手段に予め記憶されている解像度の種類を無視して、画像表示装置から読み出した解像度の種類の全てを第１の記憶手段に登録する。または、画像表示装置から読み出した解像度の種類のうち、画像送信手段が送信可能な（つまり、画像送信手段が送信できない周波数に対応するものを除く）解像度を第１の記憶手段に登録する。従って、画像表示装置が処理可能であり、画像送受信装置の第２の記憶手段に記憶されていない解像度が存在するときにも、画像再生装置の解像度設定画面に画像表示装置が処理可能な解像度の種類を全て表示して、ユーザに解像度を選択させることができる。画像再生装置は、画像表示装置が処理可能な全ての解像度の中から選択された解像度で画像データを出力することができる。
【００２０】
接続されている画像表示装置が第２の規格に準拠している場合には、画像表示装置で処理可能であるがＡＶアンプの第２の記憶手段に記憶されていない解像度が存在すると判断される。そのため、画像送受信装置は、第２の記憶手段に予め記憶されている解像度の種類を無視して、画像表示装置から読み出した解像度の種類の全てを第１の記憶手段に登録する。または、画像表示装置から読み出した解像度の種類のうち、画像送信手段が送信可能な解像度を第１の記憶手段に登録する。これにより、上記と同様の効果が得られる。
【発明を実施するための最良の形態】
【００２１】
以下、本発明の好ましい実施形態によるＤＶＤプレーヤ（画像再生装置）、ＡＶアンプ（画像送受信装置）およびディスプレイ装置（画像表示装置）ついて、図面を参照して具体的に説明するが、本発明はこれらの実施形態には限定されない。
【００２２】
図１Ａは、ＤＶＤプレーヤ１０およびＡＶアンプ２０の構成を、図１Ｂは、ＡＶアンプ２０（図１Ａと同一）およびディスプレイ装置３０の構成をそれぞれ示す概略ブロック図である。ＤＶＤプレーヤ１０およびＡＶアンプ２０は、ＨＤＭＩ規格に準拠しており、ＨＤＭＩケーブルを介して接続されている。ディスプレイ装置３０は、ＨＤＭＩ規格またはＤＶＩ規格に準拠しており、ＨＤＭＩ規格の場合にはＨＤＭＩケーブルを介して、ＤＶＩ規格の場合にはＤＶＩケーブルを介して、ＡＶアンプ２０に接続されている。
【００２３】
まず、ＤＶＤプレーヤ１０の構成を説明する。ＤＶＤプレーヤ１０は、再生部１１と、解像度変換部１２と、ＨＤＭＩ送信部１３と、システム制御部１４と、操作表示部１５と、メモリ１６と、コネクタ部１７とを有している。
【００２４】
再生部１１は、ＤＶＤディスク（以下、単にディスク）に記録されている画像データをディスクから読み出して、デコードし、解像度変換部１２に供給する。また、再生部１１は、ディスクに記録されている音声データをディスクから読み出して、デコードし、ＨＤＭＩ送信部１３に供給する。再生部１１は、図示しない光ピックアップ、サーボ回路、ＭＰＥＧデコーダ等を含む。
【００２５】
解像度変換部１２は、再生部１１から供給された画像データの解像度を判別する。また、解像度変換部１２は、判別した画像データの解像度を、システム制御部１４からのコマンドにより、ユーザによって設定された解像度に変換する。解像度変換部１２によって解像度が変換された画像データは、ＨＤＭＩ送信部１３に供給される。
【００２６】
ＨＤＭＩ送信部１３は、解像度変換部１２から供給された画像データ、および、再生部１１から供給された音声データを、システム制御部１４からのコマンドにより、ＨＤＭＩ規格のデータ（以下、単にＨＤＭＩデータ）に変換する。ＨＤＭＩ送信部１３は、変換したＨＤＭＩデータを、コネクタ部１７を介して、ＡＶアンプ２０に送信する。
【００２７】
ＨＤＭＩ送信部１３は、ＨＤＭＩデータを送受信するＴＭＤＳライン（通常は複数存在するが図１、図２では簡単のため１本のラインのみを記載している）、および、接続の有無を判断するためのホットプラグを介して、ＡＶレシーバ２０のＨＤＭＩ受信部２１に接続される。
【００２８】
システム制御部１４は、再生部１１、解像度変換部１２、ＨＤＭＩ送信部１３、操作表示部１５、メモリ１６等を制御するものであり、例えば、マイクロコンピュータである。システム制御部１４は、操作表示部１５からの操作入力または各部からの制御信号およびデータに基づいて各種処理を実行する。
【００２９】
システム制御部１４は、ＣＥＣラインを介してＡＶアンプ２０のシステム制御部２３に接続され、システム制御部２３とコマンドおよび／またはデータを送受信する。また、システム制御部１４は、ＤＤＣラインを介して、ＡＶアンプ２０のＰＲＯＭ２５に接続され、ＰＲＯＭ２５に記憶されたＥＤＩＤを読み出し、解像度の種類を読み出す。
【００３０】
システム制御部１４は、操作表示部１５に、各種の初期設定を行うためのセットアップメニューを表示させる。セットアップメニューは、出力する画像データの解像度をユーザの操作によって設定する解像度設定画面を含む。解像度がユーザによって設定されると、システム制御部１４は、解像度変換部１２に対して、設定された解像度に画像を変換するコマンドを送信する。
【００３１】
メモリ１６（例えば、ＲＯＭ）には、ＤＶＤプレーヤ１０がＡＶアンプ２０に出力可能な解像度の種類が予め記憶されている。
【００３２】
システム制御部１４は、ＡＶアンプ２０のＰＲＯＭ２５に記憶されている解像度の種類を、ＤＤＣラインを介して読み出し、メモリ１６に予め記憶されている解像度の種類と照合する。システム制御部１４は、メモリ１６に予め記憶されている解像度の種類の中から、ＡＶアンプ２０のＰＲＯＭ２５から読み出したＥＤＩＤに含まれている解像度の種類と一致する解像度の種類を解像度選択画面に表示する。
【００３３】
次に、ＡＶアンプ２０の構成を説明する。ＡＶアンプ２０は、ＨＤＭＩ受信部２１と、ＨＤＭＩ送信部２２と、システム制御部２３と、操作表示部２４と、メモリ（ＥＤＩＤ  ＰＲＯＭ、以下、ＰＲＯＭ）２５と、音声処理部２６と、コネクタ部２７、２８とを有している。
【００３４】
ＨＤＭＩ受信部２１は、ＤＶＤプレーヤ１０から送信されたＨＤＭＩデータを受信して、受信したＨＤＭＩデータから元の画像データ（ＨＤＭＩ変換前の画像データ）を生成して、ＨＤＭＩ送信部２２に供給する。また、ＨＤＭＩ受信部２１は、受信したＨＤＭＩデータから元の音声データ生成して、音声処理部２６に供給する。
【００３５】
ＨＤＭＩ送信部２２は、ＨＤＭＩ受信部２１から供給された画像データ、および、必要に応じて音声処理部２６から供給された音声データを、ＨＤＭＩデータに変換して、コネクタ部２８を介して、ディスプレイ装置３０に送信する。ＨＤＭＩ送信部２２は、ＴＭＤＳラインおよびホットプラグを介して、ディスプレイ装置３０のＨＤＭＩ受信部３１に接続されている。
【００３６】
音声処理部２６は、ＨＤＭＩ受信部２１から供給された音声データに対して、信号処理、増幅処理、Ｄ／Ａ変換等の処理を実行し、外部に接続されたスピーカー６０に音声信号を供給する。また、必要に応じて、音声処理部２６は、音声データをＨＤＭＩ送信部２２に供給する。
【００３７】
システム制御部２３は、ＨＤＭＩ受信部２１、ＨＤＭＩ送信部２２、操作表示部２４、ＰＲＯＭ２５、音声処理部２６等を制御するものであり、例えば、マイクロコンピュータである。システム制御部２３は、操作表示部２４からの操作入力または各部からの制御信号およびデータに基づいて各種処理を実行する。
【００３８】
システム制御部２３は、ＣＥＣラインを介してＤＶＤプレーヤ１０のシステム制御部１４に接続され、システム制御部１４とコマンドおよびデータを送受信する。また、システム制御部２３は、ＣＥＣラインを介してディスプレイ装置３０のシステム制御部３３に接続され、システム制御部３３とコマンドおよびデータを送受信する。また、システム制御部２３は、ＤＤＣラインを介して、ディスプレイ装置３０のＰＲＯＭ３４に接続され、ＰＲＯＭ３４からディスプレイ装置３０で表示可能な解像度の種類を含むＥＤＩＤを読み出す。
【００３９】
システム制御部２３には、ＲＯＭ等のメモリ２３ａが内蔵（または接続）されており、ＲＯＭ２３ａ内にＡＶアンプ２０が出力する解像度の種類が予め記憶されている（また、この解像度の種類は、ＲＯＭ２３ａではなく、ＰＲＯＭ２５内に記憶されていてもよい）。通常、ＲＯＭ２３ａには、ＨＤＭＩ規格に対応する複数の解像度の種類が記憶されている。
【００４０】
ＰＲＯＭ２５は、ＤＤＣラインを介してＤＶＤプレーヤ１０のシステム制御部１４に接続されている。ＰＲＯＭ２５にはシステム制御部２３によって解像度の種類を含むＥＤＩＤが登録され、登録されたＥＤＩＤは、ＤＶＤプレーヤ１０のシステム制御部１４によってＤＤＣラインを介して読み出される。
【００４１】
システム制御部２３は、ＤＶＤプレーヤ１０が読み出すＥＤＩＤをＰＲＯＭ２５に登録する際のモードとして、以下に説明する通常モードと、ＥＤＩＤコピーモードとを有する。
【００４２】
通常モードは、ＲＯＭ２３ａに予め記憶されている解像度の種類の中で、ディスプレイ装置３０のＰＲＯＭ３４から読み出したＥＤＩＤに含まれる解像度の種類と一致する解像度の種類をＰＲＯＭ２５に登録するモードである。つまり、ＡＶアンプ２０およびディスプレイ装置３０が共通して記憶する解像度の種類がＰＲＯＭ２５に登録される。
【００４３】
具体的には、ＡＶアンプ２０のＲＯＭ２３ａに予め記憶されている解像度の種類がａ、ｂ、ｃ、ｄであり、ディスプレイ装置３０のＰＲＯＭ３４に記憶されている解像度の種類がａ、ｂ、ｃ、ｄ、ｅ、ｆである場合、通常モードではＰＲＯＭ２５に解像度ａ、ｂ、ｃ、ｄを含むＥＤＩＤが登録される。
【００４４】
ＥＤＩＤコピーモードは、ＲＯＭ２３ａに記憶されている解像度の種類を無視して、ディスプレイ装置３０のＰＲＯＭ３４から読み出した解像度の種類を全てＰＲＯＭ２５に登録するモードである。つまり、ＡＶアンプ２０に記憶された解像度の種類に関係なく、ディスプレイ装置３０に記憶された解像度の種類がＰＲＯＭ２５に登録される。
【００４５】
具体的には、ＡＶアンプ２０のＲＯＭ２３ａに予め記憶されている解像度の種類がａ、ｂ、ｃ、ｄであり、ディスプレイ装置３０のＰＲＯＭ３４から読み出した解像度の種類がａ、ｂ、ｃ、ｄ、ｅ、ｆである場合、ＥＤＩＤコピーモードではＰＲＯＭ２５に解像度ａ、ｂ、ｃ、ｄ、ｅ、ｆを含むＥＤＩＤが登録される。
【００４６】
なお、ＥＤＩＤコピーモードにおいて、ディスプレイ装置３０のＰＲＯＭ３４から読み出した解像度の種類のうち、ＨＤＭＩ送信部２２がディスプレイ装置３０に送信可能な解像度のみをＰＲＯＭ２５に登録することもできる。「ＨＤＭＩ送信部２２がディスプレイ装置３０に送信可能な解像度」とは、ＨＤＭＩ送信部２２が画像データを変換および出力できる周波数に対応する解像度であり、ＨＤＭＩ送信部２２が変換および出力できない周波数に対応する解像度（例えば、１０８０ｐ等のプログレッシブについては、ＨＤＭＩ送信部２０は変換および出力できない）を除いた全ての解像度を意味する。この場合、ＰＲＯＭ２５にＨＤＭＩ送信部２２が出力できない解像度が登録されないので、ディスプレイ装置３０に画像データが送信されないという問題を防止できる。なお、以下の説明では、ＥＤＩＤコピーモードにおいて、ディスプレイ装置３０に記録された解像度の全てをＰＲＯＭ２５に登録する場合を例に説明するが、ディスプレイ装置３０に記録された解像度の種類のうち、ＨＤＭＩ送信部２２がディスプレイ装置３０に送信可能な解像度のみをＰＲＯＭ２５に登録する場合も同様である。
【００４７】
通常モードまたはＥＤＩＤコピーモードは、ユーザによって設定可能である。例えば、システム制御部２３の図示しないＲＡＭ内にフラグが格納されており、ＥＤＩＤコピーモードに設定される場合フラグがセットされ、通常モードに設定される場合フラグがリセットされる。
【００４８】
システム制御部２３は、ＡＶアンプ２０に接続されているディスプレイ装置３０がＨＤＭＩ規格に準拠している場合、通常モードでＰＲＯＭ２５に解像度の種類を登録する。一方、システム制御部２３は、ＡＶアンプ２０に接続されているディスプレイ装置３０がＤＶＩ規格に準拠している場合、ＥＤＩＤコピーモードが設定されていれば、ＥＤＩＤコピーモードでＰＲＯＭ２５に解像度の種類を登録し、通常モードが設定されていれば、通常モードでＰＲＯＭ２５に解像度の種類を登録する。
【００４９】
次に、ディスプレイ装置３０の構成を説明する。ディスプレイ装置３０は、ＨＤＭＩ規格に準拠したディスプレイ装置またはＤＶＩ規格に準拠したディスプレイ装置が採用され得る。ＨＤＭＩ規格のディスプレイ装置３０を例に説明すると、ディスプレイ装置３０は、ＨＤＭＩ受信部３１と、表示部３２と、システム制御部３３と、メモリ（ＥＤＩＤ  ＰＲＯＭ、以下、ＰＲＯＭ）３４と、操作部３５と、音声処理部３６と、スピーカー３７と、コネクタ部３８とを有する。
【００５０】
ＨＤＭＩ受信部３１は、ＡＶアンプ２０のＨＤＭＩ送信部２２から送信されたＨＤＭＩデータを受信して、受信したＨＤＭＩデータから元の画像データを生成し、表示部３２に供給する。また、ＨＤＭＩ受信部３１は、ＨＤＭＩデータから元の音声データを生成して、音声処理部３６に供給する。
【００５１】
表示部３２は、ＨＤＭＩ受信部３１から画像データが供給され、当該画像データに基づいて画像を表示するものであり、例えば、ＬＣＤまたはＣＲＴ等である。
【００５２】
音声処理部３６は、ＨＤＭＩ受信部３１から供給された音声データを、信号処理、増幅処理、Ｄ／Ａ変換等の処理を実行し、スピーカー３７に供給する。
【００５３】
システム制御部３３は、ＨＤＭＩ受信部３１、表示部３２、ＰＲＯＭ３４、音声処理部３６等を制御するものであり、例えば、マイクロコンピュータである。システム制御部３３は、操作部３５からの操作入力または各部からの制御信号およびデータに基づいて各種処理を実行する。
【００５４】
ＰＲＯＭ３４には、表示部３２で表示可能な解像度の種類を含むＥＤＩＤが予め記憶されている。このＥＤＩＤは、ＤＤＣラインを介して、ＡＶアンプ２３のシステム制御部２３によって読み出される。
【００５５】
ディスプレイ装置３０がＤＶＩ規格に準拠したものである場合には、ＨＤＭＩ受信部３１の代わりにＤＶＩ受信部が設けられている。このＤＶＩ受信部は、ＤＶＩデータ（ＤＶＩデータは音声データを含まず、画像データのみを含む）を受信して、画像データを表示部３２に供給する。また、ＤＶＩ規格に準拠したディスプレイ装置にはＤＶＩケーブルが接続され、当該ＤＶＩケーブルは、ＡＶアンプに接続されたＨＤＭＩケーブルに変換コネクタを介して接続される。
【００５６】
以上の構成を有するシステムについて、図２を参照してその動作および作用を説明する。図２は、ＡＶアンプ２０の処理を説明するフローチャートである。まず、ＡＶアンプ２０の電源がオン状態になると（Ｓ１）、システム制御部２３は、コネクタ部２７にＤＶＤプレーヤ１０が接続されているか否かを判断する（Ｓ２）。ＤＶＤプレーヤ１０が接続されていると判断されると（Ｓ２：ＹＥＳ）、システム制御部２３は、コネクタ部２８にディスプレイ装置３０が接続されているか否かを判断する（Ｓ３）。
【００５７】
ディスプレイ装置３０が接続されていると判断されると（Ｓ３：ＹＥＳ）、システム制御部２３は、ＤＤＣラインを介してディスプレイ装置３０のＰＲＯＭ３４からＥＤＩＤを読み出す（Ｓ４）。システム制御部２３は、読み出したＥＤＩＤの中から、ディスプレイ装置３０が表示可能な解像度の種類を読み出して解析する。
【００５８】
次に、システム制御部２３は、接続されているディスプレイ装置３０がＨＤＭＩ規格に準拠した装置であるか、または、ＤＶＩ規格に準拠した装置であるかを判断する（Ｓ５）。すなわち、ＰＲＯＭ３４から読み出したＥＤＩＤの中にディスプレイ装置の規格を示す情報が含まれているので、システム制御部２３はこの情報を解析することによって、ディスプレイ装置３０の規格を判断する。
【００５９】
ディスプレイ装置３０がＤＶＩ規格に準拠すると判断されると（Ｓ５：ＤＶＩ）、システム制御部２３は、ＥＤＩＤコピーモードが設定されているか否かをフラグを確認することによって判断する（Ｓ６）。
【００６０】
ＥＤＩＤコピーモードが設定されていると判断されると（Ｓ６：ＹＥＳ）、システム制御部２３は、Ｓ４でディスプレイ装置３０のＰＲＯＭ３４から読み出した解像度の種類を全て含むＥＤＩＤをＰＲＯＭ２５に登録する。つまり、ＡＶアンプ２０のＲＯＭ２３ａに記憶されている解像度の種類は無視して、ディスプレイ装置３０から読み出された解像度の種類がＰＲＯＭ２５に登録される。
【００６１】
その後、システム制御部２３は、コネクタ部２７（ＤＶＤプレーヤ１０）側のホットプラグをハイレベルに設定することにより、ＤＶＤプレーヤ１０にＥＤＩＤの読み出し処理を促す（Ｓ９）。つまり、ＤＶＤプレーヤ１０のシステム制御部１４は、ホットプラグがハイレベルに設定されたことを確認すると、ＤＤＣラインを介して、ＰＲＯＭ２５からＥＤＩＤを読み出し、ＰＲＯＭ２５に記憶されている解像度の種類を解析する。
【００６２】
ユーザから解像度設定画面の表示指示が入力されると、ＤＶＤプレーヤ１０のシステム制御部１４は、メモリ１６に予め記憶されている解像度の種類の中でＡＶアンプ２０のＰＲＯＭ２５に記憶されている解像度の種類と一致するものを選択して、解像度設定画面に表示する。一般的に、ＤＶＤプレーヤ１０には接続される装置が対応していると考えられる全ての解像度がメモリ１６に予め記憶されているので、解像度設定画面にはＡＶアンプ２０のＰＲＯＭ２５に記憶されている解像度の種類が全て表示される。ユーザは、解像度設定画面に表示されている解像度の種類の中から、所望の解像度を１つ選択する。
【００６３】
従って、ＡＶアンプ２０にＤＶＩ規格のディスプレイ装置３０が接続され、かつ、ＥＤＩＤコピーモードが設定されているときは、ＤＶＤプレーヤ１０の解像度設定画面には、ＡＶアンプ２０に記憶されている解像度の種類に関係なく、ディスプレイ装置３０に記憶されている解像度の種類が全て表示される。そのため、ディスプレイ装置３０で表示可能であるがＡＶアンプ２０に記憶されていない解像度が存在する場合にも、ＤＶＤプレーヤ１０の解像度設定画面にディスプレイ装置３０が表示可能な解像度の種類を全て表示することができる。
【００６４】
具体的には、ＤＶＩ規格のディスプレイ装置３０のＰＲＯＭ３４に記憶されている解像度の種類がａ、ｂ、ｃ、ｄ、ｅ、ｆであり、アンプ装置２０のＲＯＭ２３ａに予め記憶されている解像度の種類がａ、ｂ、ｃ、ｄである場合、ＥＤＩＤコピーモードでは、解像度設定画面にディスプレイ装置３０のＰＲＯＭ３４に記憶されている解像度ａ、ｂ、ｃ、ｄ、ｅ、ｆが全て表示される。従って、ＤＶＤプレーヤ１０は、ディスプレイ装置３０が表示可能であるが、ＡＶアンプ２０に記憶されていない解像度ｅ、ｆで画像データを出力できる。
【００６５】
ＤＶＤプレーヤ１０が解像度ｅ、ｆ（これらの解像度は、ＤＶＩ規格のみに対応している）で画像データを出力する場合、ＡＶアンプ２０のＨＤＭＩ受信部２１は、音声データを含まず画像データのみを含むデータをＨＤＭＩケーブルを介して受信し、画像データを生成し、ＨＤＭＩ送信部２２に供給する。ＨＤＭＩ送信部２２は、ＨＤＭＩ受信部２１から当該画像データを受信して、ディスプレイ装置３０に送信する。このように、ＡＶアンプ２０のＲＯＭ２３ａに記憶されていない解像度ｅ、ｆでＤＶＤプレーヤ１０から画像データが送信された場合でも、ＡＶアンプ２０は、解像度ｅ、ｆの画像データをディスプレイ装置３０に送信することができる。ＡＶアンプ２０に送信されるＨＤＭＩデータには音声データが含まれないので、ＡＶアンプ２０は、当該ＨＤＭＩデータに基づいて音声信号をスピーカー６０に供給することができない。この場合、例えば、ＩＥＥＥ１３９４ケーブル等を介して音声データをＤＶＤプレーヤ１０からＡＶアンプ２０に送信する必要がある。
【００６６】
なお、ＥＤＩＤコピーモードが設定されていないと判断されると（Ｓ６：ＮＯ）、システム制御部２３は、ＲＯＭ２３ａに記憶されている解像度の種類の中で、ディスプレイ装置３０のＰＲＯＭ３４から読み出した解像度の種類と一致する解像度の種類のみを選択して、ＰＲＯＭ２５に登録する（Ｓ８）。この場合には、ディスプレイ装置３０およびアンプ装置２０に共通して記憶されている解像度の種類のみが解像度設定画面に表示される。その結果、ＤＶＤプレーヤ１０は、ディスプレイ装置３０のみに記憶されている解像度で画像データを出力することはできない。
【００６７】
また、Ｓ５において、ディスプレイ装置３０がＨＤＭＩ規格に準拠していると判断されると、システム制御部２３は、ＲＯＭ２３ａに記憶されている解像度の種類の中で、ディスプレイ装置３０のＰＲＯＭ３４から読み出した解像度の種類と一致する解像度の種類のみを選択して、ＰＲＯＭ２５に登録する（Ｓ８）。
【００６８】
このようにＨＤＭＩ規格のディスプレイ装置３０が接続された場合には、ユーザのモード設定に関係なく、通常モードで解像度の種類を含むＥＤＩＤがＰＲＯＭ２５に登録される。ディスプレイ装置１０がＨＤＭＩ規格であれば、ＡＶアンプ２０はディスプレイ装置３０およびＡＶアンプ２０に共に記憶されている解像度で画像データを出力する必要があるからである。また、ディスプレイ装置１０がＨＤＭＩ規格であれば、ＡＶアンプ２０およびディスプレイ装置３０が共にＨＤＭＩ規格であるので、ディスプレイ装置３０で処理可能な解像度の種類は、ＡＶアンプ２０のＲＯＭ２３ａに記憶されている解像度の種類に含まれているからである。
【００６９】
なお、Ｓ３でディスプレイ装置３０が接続されていないと判断された場合（Ｓ３：ＮＯ）、システム制御部２３はＲＯＭ２３ａに記憶されているＥＤＩＤの全てをＰＲＯＭ２５に登録し（Ｓ１０）、Ｓ９に進む。
【００７０】
以上のように、本実施形態のＡＶアンプ２０によると、ディスプレイ装置３０が表示可能であり、ＡＶアンプ２０に記憶されていない解像度が存在する場合にも、ＤＶＤプレーヤ１０の解像度設定画面に、ディスプレイ装置３０で表示可能な解像度の種類を全て表示させることができる。
【００７１】
次に、本発明の別の好ましい実施形態について説明する。本実施形態では、図３に示すとおり、ＡＶアンプ２０には複数のＤＶＤプレーヤ（本例では、３つのＤＶＤプレーヤ１０Ａ〜１０Ｃ）が接続されている。ＤＶＤプレーヤ１０Ａは、画像データをＨＤＭＩケーブルを介して、音声データをＩＥＥＥ１３９４ケーブルを介してＡＶアンプ２０に送信する。ＤＶＤプレーヤ１０Ｂは、画像データおよび音声データを、ＨＤＭＩケーブルを介してＡＶアンプ２０に送信する。ＤＶＤプレーヤ１０Ｃは、画像データをＤＶＩケーブルを介して、音声データをオプティカルケーブルを介してＡＶアンプ２０に送信する。
【００７２】
ＡＶアンプ２０は、ＤＶＤプレーヤ１０Ａ〜１０Ｃから入力される画像データおよび音声データの中から、１つのＤＶＤプレーヤから入力される画像データおよび音声データを選択して出力するセレクタ回路２９をさらに有している。セレクタ回路２９は複数の選択状態（本例では、選択状態１〜３）を有し、選択状態１は、ＤＶＤプレーヤ１０Ａが接続された入力端子に割り当てられ、選択状態２は、ＤＶＤプレーヤ１０Ｂが接続された入力端子に割り当てられ、選択状態３は、ＤＶＤプレーヤ１０Ｃが接続された入力端子に割り当てられている。
【００７３】
システム制御部２３は、内蔵する図示しないＲＡＭ内に下記表１に示すモード設定テーブルを格納している。モード設定テーブルは、選択状態１〜３に対してそれぞれ通常モードまたはＥＤＩＤコピーモードのどちらでＰＲＯＭ２５にＥＤＩＤを登録するかが設定される。この選択状態１〜３に対応するモードは、ユーザによって任意に設定可能である。
【表１】
2007079177.tif 000003
【００７４】
本例では、セレクタ回路２９の選択状態がユーザによって切り換えられるたびに、システム制御部２３は、ＰＲＯＭ２５に解像度の種類を含むＥＤＩＤを自動的に登録し直すようにしている。例えば、表１を参照して、セレクタ回路２９の選択状態が選択状態１から選択状態２に変更された場合、システム制御部２３は、通常モードでＰＲＯＭ２５にＥＤＩＤを登録する。
【００７５】
この動作を図４のフローチャートを参照して説明する。なお、図２と同一の処理には同一符号を付し、説明を省略または簡略化する。システム制御部２３は、セレクタ回路２９の選択状態が変更されたか否かを常に判断している（Ｓ４１）。セレクタ回路２９の選択状態が変更されたと判断されると（Ｓ４１：ＹＥＳ）、システム制御部２３は、ディスプレイ装置３０のＰＲＯＭ３４からＥＤＩＤを読み出し（Ｓ４）、ディスプレイ装置３０がＤＶＩ規格に準拠する場合（Ｓ５：ＤＶＩ）、表１のモード設定テーブルを参照して、変更後の選択状態に対応するモードを確認する（Ｓ４２）。変更後の選択状態に対応するモードがＥＤＩＤコピーモードであれば（Ｓ６：ＹＥＳ）、ＥＤＩＤコピーモードでＰＲＯＭ２５にＥＤＩＤを登録し、通常モードであれば（Ｓ６：ＮＯ）、通常モードでＰＲＯＭ２５にＥＤＩＤを登録する。
【００７６】
以上のように、セレクタ回路２９の選択状態に対応するモードを予め設定しておき、選択状態が変更されたときに自動的にＰＲＯＭ２５にＥＤＩＤを登録し直すことによって、ユーザがＥＤＩＤの設定操作を実行したり、ＡＶアンプの電源を一旦オフ状態にすることなく、ＥＤＩＤをＰＲＯＭ２５に登録し直すことができる。
【００７７】
このようにセレクタ回路２９の選択状態が切り換えられるたびにＰＲＯＭ２５に解像度を登録し直すことにより、図３に示すような形態でＤＶＤプレーヤ１０Ａ〜１０ＣをＡＶアンプ２０に接続した場合に、それぞれのＤＶＤプレーヤにとって適した種類の解像度を解像度設定画面に表示することができる。
【００７８】
具体的には、ＤＶＤプレーヤ１０Ａ（選択状態１）がセレクタ回路２９によって選択される場合、ＤＶＩ規格のディスプレイ装置３０がＡＶアンプ２０に接続されると、表１に示すようにＥＤＩＤコピーモードでＰＲＯＭ２５にＥＤＩＤが登録される。この場合、解像度選択画面でＤＶＩ規格のみに対応する解像度が選択されると、ＤＶＤプレーヤ１０ＡはＨＤＭＩケーブルを介して音声データを送信できなくなるが、そもそも音声データはＩＥＥＥ１３９４で送信しているので、ＡＶアンプ２０が音声信号をスピーカー６０に供給できなくなることはない。
【００７９】
一方、ＤＶＤプレーヤ１０Ｂ（選択状態２）がセレクタ回路２９によって選択される場合、ＤＶＩ規格のディスプレイ装置３０がＡＶアンプ２０に接続されると、表１に示すように通常モードでＰＲＯＭ２５にＥＤＩＤが登録される。ＤＶＤプレーヤ１０ＢはＨＤＭＩケーブルで画像データおよび音声データを送信しているので、仮に解像度選択画面でＤＶＩ規格のみに対応する解像度が選択されてしまうと、ＤＶＤプレーヤ１０ＡはＨＤＭＩケーブルを介して音声データを送信できなくなる。従って、ＤＶＤプレーヤ１０Ｂが選択される場合は、通常モードでＥＤＩＤをＰＲＯＭ２５に登録することにより、このような問題を解決できる。
【００８０】
次に、本発明のさらに別の実施形態を説明する。本例では、図２のＳ５でディスプレイ装置３０がＤＶＩ規格に準拠しているかどうかを判断する代わりに、Ｓ４でディスプレイ装置３０から読み出した解像度の種類と、ＲＯＭ２３ａに記憶されている解像度の種類とを対比して、ディスプレイ装置３０に記憶されている解像度の種類の中で、ＲＯＭ２３ａに記憶されていない解像度の種類が存在するか否かを判断する。ディスプレイ装置３０に記憶されている解像度の種類の中で、ＲＯＭ２３ａに記憶されていない解像度の種類が存在すれば、Ｓ７へと進み、そうでなければ、Ｓ８へと進む。この場合に、ディスプレイ装置３０がＨＤＭＩ規格に準拠する場合でも、ディスプレイ装置３０に記憶されている解像度の種類の中で、ＡＶアンプ２０のＲＯＭ２３ａに記憶されていない解像度の種類が存在すれば、（ＥＤＩＤコピーモードが設定されている場合）、ＥＤＩＤコピーモードで解像度の種類がＰＲＯＭ２５に登録される。
【００８１】
例えば、ＡＶアンプ２０およびディスプレイ装置３０が共にＨＤＭＩ規格に準拠し、ＡＶアンプ２０のＲＯＭ２３ａに記憶されている解像度の種類がａ、ｂ、ｃ、ｄであり、ディスプレイ装置３０のＰＲＯＭ３４に記憶されている解像度の種類がａ、ｂ、ｃ、ｄ、ｅ、ｆであるとする。この場合、ＡＶアンプ２０のＰＲＯＭ２５には、解像度の種類がａ、ｂ、ｃ、ｄ、ｅ、ｆが登録される。従って、ＤＶＤプレーヤ１０は、解像度ａ、ｂ、ｃ、ｄ、ｅ、ｆのいずれかで画像データを出力することができる。
【００８２】
以上、本発明の好ましい実施形態を説明したが、本発明はこれらの実施形態には限定されない。例えば、ディスプレイ装置がＨＤＭＩ規格に準拠する場合に、ＥＤＩＤコピーモードでＥＤＩＤをＰＲＯＭ２５に登録してもよい。また、ＤＶＤプレーヤ、ＡＶアンプ、ディスプレイ装置の上記動作をコンピュータに実行させるためのプログラムおよびこれを記録した記録媒体という形態で提供されてもよい。
【産業上の利用可能性】
【００８３】
本発明は、画像データを出力する際の解像度を変更可能な、ＤＶＤプレーヤ、ＡＶアンプおよびディスプレイ装置等に好適に採用され得る。
【図面の簡単な説明】
【００８４】
【図１Ａ】本発明の好ましい実施形態によるＤＶＤプレーヤ１０およびＡＶアンプ２０の構成を示すブロック図である。
【図１Ｂ】本発明の好ましい実施形態によるＡＶアンプ２０およびディスプレイ装置の構成を示すブロック図である。
【図２】ＡＶアンプ２０の動作を説明するフローチャートである。
【図３】本発明の別の好ましい実施形態の構成を示すブロック図である。
【図４】図３の構成におけるＡＶアンプの動作を説明するフローチャートである。
【図５】従来の構成を説明するブロック図である。
【符号の説明】
【００８５】
１０            ＤＶＤプレーヤ（画像再生装置）
２０            ＡＶアンプ（画像送受信装置）
２１            ＨＤＭＩ受信部
２２            ＨＤＭＩ送信部
２３            システム制御部
２３ａ          ＲＯＭ
２５            ＰＲＯＭ
３０            ディスプレイ装置（画像表示装置）
【図１Ａ】
2007079177.tif 000004
【図１Ｂ】
2007079177.tif 000005
【図２】
2007079177.tif 000006
【図３】
2007079177.tif 000007
【図４】
2007079177.tif 000008
【図５】
2007079177.tif 000009
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
外部に接続される画像再生装置から画像データを受信する画像受信手段と、
外部に接続される画像表示装置に該画像データを送信する画像送信手段と、
該画像再生装置が読み出す解像度の種類を記憶するための第１の記憶手段と、
解像度の種類が予め記憶されている第２の記憶手段と、
該画像表示装置に予め記憶されている解像度の種類を、該画像表示装置から読み出す読出手段と、
該読出手段が該画像表示装置から読み出した解像度の種類の中で、該第２の記憶手段に記憶されていない解像度が存在するか否かを判断する判断手段と、
該読出手段が読み出した解像度の種類の中で、該第２の記憶手段に記憶されていない解像度が存在すると判断された場合、該読出手段が読み出した解像度の種類の全て、または、該読出手段が読み出した解像度の種類のうち、該画像送信手段が該画像表示装置に送信可能な解像度の種類を該第１の記憶手段に登録する解像度登録手段とを備える、画像送受信装置。
【請求項２】
外部に接続される画像再生装置から画像データを受信する画像受信手段と、
外部に接続される画像表示装置に該画像データを送信する画像送信手段と、
該画像再生装置が読み出す解像度の種類を記憶するための第１の記憶手段と、
解像度の種類が予め記憶されている第２の記憶手段と、
該画像表示装置に予め記憶されている解像度の種類を、該画像表示装置から読み出す読出手段と、
接続されている該画像表示装置がＤＶＩ規格に準拠しているか否かを判断する判断手段と、
該画像表示装置がＤＶＩ規格に準拠していると判断された場合に、該読出手段が読み出した解像度の種類の全て、または、該読出手段が読み出した解像度の種類のうち、該画像送信手段が該画像表示装置に送信可能な解像度の種類を該第１の記憶手段に登録する解像度登録手段とを備える、画像送受信装置。
【請求項３】
前記画像表示装置がＨＤＭＩ規格に準拠していると判断された場合、前記解像度登録手段が、前記第２の記憶手段に記憶されている解像度の種類の中で、前記画像表示装置から読み出した解像度の種類と一致する解像度の種類を、前記第１の記憶手段に登録する、請求項２に記載の画像送受信装置。
【請求項４】
ＥＤＩＤコピーモードまたは通常モードに設定可能なモード設定手段と、
該モード設定手段によって設定されたモードを判断するモード判断手段とをさらに備え、
前記画像表示装置がＤＶＩ規格に準拠し、かつ、設定されているモードがＥＤＩＤコピーモードであると判断された場合、前記解像度登録手段が、前記読出手段が読み出した解像度の種類の全て、または、該読出手段が読み出した解像度の種類のうち前記画像送信手段が該画像表示装置に送信可能な解像度の種類を前記第１の記憶手段に登録し、
該画像表示装置がＤＶＩ規格に準拠し、かつ、設定されているモードが通常モードであると判断された場合、該解像度登録手段が、該第２の記憶手段に記憶されている解像度の種類の中で、該画像表示装置から読み出した解像度の種類と一致する解像度の種類を該第１の記憶手段に登録する、請求項２または３に記載の画像送受信装置。
【請求項５】
複数の前記画像再生装置から送信される画像データの中から１つの画像データを選択する選択手段と、
該選択手段の選択状態に対応してＥＤＩＤコピーモードまたは通常モードを設定するモード設定手段と、
該選択手段の選択状態が変更されたとき、変更後の選択状態に対応するモードを判断するモード判断手段とをさらに備え、
変更後の選択状態がＥＤＩＤコピーモードであると判断された場合、前記解像度登録手段が、前記読出手段が読み出した解像度の種類の全て、または、該読出手段が読み出した解像度の種類のうち前記画像送信手段が該画像表示装置に送信可能な解像度の種類を前記第１の記憶手段に登録し、
変更後の選択状態が通常モードであると判断された場合、該解像度登録手段が、該第２の記憶手段に記憶されている解像度の種類の中で、該画像表示装置から読み出した解像度の種類と一致する解像度の種類を該第１の記憶手段に登録する、請求項２または３に記載の画像送受信装置。